(57)【特許請求の範囲】
【請求項１】
竿体に設けられリールを取付可能なリールシートであって、
前記竿体に固定され、穂先側に雄ネジ部を有すると共に前記雄ネジ部よりさらに穂先側に突出した前記雄ネジ部より小径の突出部を有する略筒状のリールシート本体と、
前記リールシート本体の竿元側に設けられ前記リールの脚部の一端を覆うようにして係止可能な固定フードと、
前記リールシート本体上に設けられ前記固定フードに隣接して軸方向穂先側に伸び前記リールの脚部を載置可能な載置部と、
前記固定フードに対向して前記載置部上を前記リールシート本体の軸方向に移動可能に、かつ、前記リールシート本体に対して回転しないように配置され、前記リールの脚部の他端を覆うようにして係止可能な移動フードと、
前記移動フードの穂先側に隣接して前記雄ネジ部が螺合する雌ネジ部と、前記リールシート本体の前記突出部が嵌入される被嵌入部とを有し、前記軸方向に移動自在に配置され、竿元側に移動したとき、前記移動フードを前記固定フード方向に移動させるナット部とを備え、
前記突出部の外径と前記被嵌入部の内周とをほぼ合致させて嵌入可能に形成して、前記ナット部の傾きを抑えるようにした
ことを特徴とするリールシート。
【請求項２】
前記リールシート本体は本体大径部とその穂先側に位置する本体小径部とからなり、前記本体大径部の穂先側に前記雄ネジ部が形成され、前記本体小径部が前記突出部であり、
一方、前記ナット部はナット大径部とその穂先側に位置するナット小径部とからなり、
前記ナット大径部内周面に前記雄ネジ部に螺合自在な雌ネジ部が形成され、前記ナット小径部が前記リールシート本体の突出部が嵌入される被嵌入部である、
請求項１に記載のリールシート。
【発明の詳細な説明】
【０００１】
【発明の属する技術分野】
本発明は、釣竿の竿体外周面に設けられリールを取付可能なリールシートに関する。
【０００２】
【従来の技術】
釣竿には、スピニングリール，両軸受けリール等の釣り用リールを取り付けるためのリールシートが設けられている。従来のリールシートでナット式と呼ばれるリールシートは、釣り用リールの脚部の一端を係止する固定フードと雄ネジ部とを有する本体部と、移動シート部と、ナット部とを有している。この移動シート部はリールの脚部の他端を係止する移動フード部を有し、シート本体に対して相対移動可能である。ナット部は雄ネジ部に螺合して移動シート部を移動させる。
【０００３】
このようなリールシートでは、リールの脚部の一端を本体部の固定フードに係止した状態でナット部を回転させて、移動シート部を固定フードに接近させて、移動シート部の移動フードでリールの脚部の他端を係止する。このように固定フード及び移動フードでリールの脚部を挟持してリールを釣竿に固定する。
【０００４】
【発明が解決しようとする課題】
このように、リールの脚部を移動フードが固定する際には、竿体上に位置するリールの脚部を移動フードが覆い込んで、いわば、リール脚部を竿体に押しつけてリール脚部と竿体とが移動フード内に押し込まれたような状況で、移動フード部がリール脚部を固定する。
【０００５】
このため、リールのがたつきを抑えようとナット部を強く回転させてリール脚部を強く固定しすぎると、移動フード側ではそれ以上ナット部が雄ネジ部に締め込めないが、移動フードに周方向に対抗する側（１８０度反対方向）に過度の力が加わることになる。そして、ナット部が軸方向から移動フードに周方向に対抗する側傾いて固定されてしまう恐れがある。このようにナット部が軸方向から傾いてしまうとナット部の回転が円滑に行えず、リールを外しにくくなる場合がある。
【０００６】
本発明の課題は、釣用リールの着脱作業を行いやすいナット式のリールシートを提供することにある。
【０００７】
【課題を解決するための手段】
発明１にかかるリールシートは、竿体に設けられリールを取付可能なリールシートである。そして、竿体に固定され穂先側に雄ネジ部を有すると共に雄ネジ部よりさらに穂先側に突出した雄ネジ部より小径の突出部を有する略筒状のリールシート本体と、リールシート本体の竿元側に設けられリールの脚部の一端を覆うようにして係止可能な固定フードと、リールシート本体上に設けられ固定フードに隣接して軸方向穂先側に伸びリールの脚部を載置可能な載置部と、固定フードに対向して載置部上をリールシート本体の軸方向に移動可能に、かつ、リールシート本体に対して回転しないように配置され、リールの脚部の他端を覆うようにして係止可能な移動フードと、移動フードの穂先側に隣接して雄ネジ部が螺合する雌ネジ部と、リールシート本体の突出部が嵌入される被嵌入部とを有し、軸方向に移動自在に配置され、竿元側に移動したとき、移動フードを固定フード方向に移動させるナット部とを備え、突出部の外径と被嵌入部の内周とをほぼ合致させて嵌入可能に形成して、ナット部の傾きを抑えるようにしたことを特徴とする。
【０００８】
この場合には、リールの脚部の一端を固定フードに係止させながらリールの脚部を載置部に配置する。そして、ナット部を雄ネジ部に螺合させつつ移動フードを軸方向に移動させながら移動フードでリールの脚部の他端を係止する。また、このようにナット部を雄ネジ部に螺合させて固定フード側に移動させると、リールシート本体の穂先側に突出した突出部がナット部の被嵌入部に嵌入する。この突出部はリールシート本体の一部であって軸方向に変位なく伸びており、この突出部が被嵌入部に挿入されることで被嵌入部を有するナット部の軸方向からの傾きを是正することができる。
【０００９】
即ち、ナット部を雄ネジ部に過度に螺合させると、隣接する移動フードに係止されるリールの脚部の影響によりナット部がリールの反対側（竿体周面における１８０度変位方向）に向かって軸方向から傾いてしまうことがあるところ、リールシート本体の突出部がナット部の軸方向からの変位を抑えるのである。
【００１０】
発明２にかかるリールシートは、発明１のリールシートであって、リールシート本体は本体大径部とその穂先側に位置する本体小径部とからなる。そして、本体大径部の穂先側に雄ネジ部が形成され、本体小径部が突出部である。一方、ナット部はナット大径部とその穂先側に位置するナット小径部とからなる。そして、ナット大径部内周面に雄ネジ部に螺合自在な雌ネジ部が形成され、ナット小径部がリールシート本体の突出部が嵌入される被嵌入部である。
【００１１】
この場合には、この突出部が他の部分に比べて小径にリールシート本体の穂先側に変位なく伸びており、かかる小径の突出部に合致する被嵌入部がナット部に小径に形成されている。このため、突出部・被嵌入部をコンパクトに設定でき、リールシート全体の構造もコンパクトに形成できる。
【００１２】
さらに、突出部・被挿入部を雄ネジ部等より小径化することで、突出部・被挿入部と雄ネジ部等との間に生じる段差を設けることができ、この段差によってもナット部の軸方向への傾きを抑えることができる。
【００１３】
【発明の実施の形態】
以下、本発明の一実施形態について、図面を参照しつつ説明する。
本発明の一実施形態を採用したリールシート１は、図１に示すように、釣り用リール２の脚部３を係止して釣り用リール２を釣竿４に装着するためのものである。このリールシート１は、釣竿４の外周に装着された本体部１０と、移動シート部１１と、ナット部１２とを有している。
【００１４】
図２及び図３に示すように、本体部１０は、内部に釣竿の竿体４が貫通して装着される合成樹脂または金属からなる変形筒状部材である。本体部１０は、図２及び図３に示すように、変形筒状の基部１５と、基部１５の穂先側に筒状の伸びる本体大径部１６と、本体大径部１６の穂先側に本体大径部１６より小径筒状に形成されつつ伸びる本体小径部（突出部）１７と有している。
【００１５】
基部１５は、竿元側端部に設けられリール２の脚部３の一端を係止するための固定フード２０と、固定フード２０の穂先側に平坦に形成され脚部３を載置するための載置部２５とを有する。また、基部１５の竿元側には竿尻グリップ２２が釣竿４の外周にはめ込まれている。固定フード２０は基部１５の竿元側外周において載置部２５の竿元側から上方を覆うように載置部２５と一体的に形成されている。一方、基部１５の固定フード２０の周方向反対側（１８０度変位した側）にはゴム製のシートグリップ２３が固定されている。また、載置部２５の左右両側は、リール２の脚部３の幅方向への移動を規制するための規制突起部２６が載置部２５と一体的に形成されている。
【００１６】
本体大径部１６は、外周面の一部に基部１５より連続して形成され切り欠かれた平坦な載置部２５と、穂先側周面に形成された雄ネジ部３１とを有している。また、本体大径部１６の全長にわたって雄ネジ部３１の左右両側面には、移動シート１１を回転不能に係止するための係止溝３２が形成されている。
【００１７】
本体小径部１７は、本体大径部１６の穂先側に本体大径部１６より小径に形成された円筒部材である。軸方向に釣竿の竿体４が貫通すると共におよそ５〜５０mm程度の軸方向を有する。
【００１８】
移動シート部１１は、内径が本体大径部１６の外径にほぼ一致する筒状の部材であって、本体大径部１６の外周を軸方向に移動可能である。移動シート部１１は、本体大径部１６の外周を周方向に回転しないように係止溝３２に係止される係止突起３６と、固定フード２０に対向して配置されリール２の脚部３の他端を覆いながら係止可能な移動フード３５を有している。移動フード３５は、移動シート部１１が本体部１０に装着された際に載置部２５を覆いかつその間に脚部３の他端側が挿入可能になっている。
【００１９】
ナット部１２は、円筒型部材であって、ナット大径部３７ａとナット大径部３７ａの穂先側に伸びるナット小径部３７ｂと、これらナット大径部３７ａ及びナット小径部３７ｂの外周を覆うように取り付けられるグリップ部３８とを有している。
【００２０】
ナット大径部３７ａの内周には雄ネジ部３１に螺合自在な雌ネジ部が形成されており、移動シート部１１が本体部１０に配置された上でパッキンＰを介して移動シート部１１の穂先側にナット部１２が軸方向移動自在に配置されることになる。一方のナット小径部３７ｂの内周は、竿体４の外径より大きくかつ本体小径部（突出部）１７の外径にほぼ合致しており、竿体４とナット小径部３７ｂ（被嵌入部）との間に生じる隙間に本体小径部１７が嵌入可能になっている。
【００２１】
このリールシート１には、以下のようにして釣用リール２を取り付ける。
まず、ナット部１２を緩めて本体部１０との螺合を解除する。そして、リール２の脚部３を載置部２５に載置すると共に脚部３の一端を固定フード２０に挿入して係止させる。次に、移動シート部１１を軸方向に移動させながらリール２の脚部３の他端を移動フード３５内に挿入する。そして、ナット部１２を本体部１０に締め付けて、ナット部１２及び移動シート部１１を、固定フード２０方向に移動させてゆく。こうして、固定フード２０及び移動フード３５によりリール２の脚部３を挟持して、釣り用リール２をリールシート１に固定する。この際、ナット部１２の移動と共に本体小径部（突出部）１７がナット小径部（被嵌入部）３７ｂと竿体４との隙間に嵌入されることになる。
【００２２】
ここで、ナット部１２を雄ネジ部３１に過度に螺合させると、隣接する移動シート部１１の移動フード３５に係止されるリールの脚部の影響によりナット部１２がリール２の反対側（竿体４周面における１８０度変位方向）に向かって軸方向から傾いてしまうことがあるが、本体小径部（突出部）１７は本体部１０の一部であって竿体４に固定され軸方向に変位なく伸びているので、この本体小径部（突出部）１７がナット小径部（被嵌入部）３７ｂに挿入されることでナット部１２の軸方向からの傾きを是正することができる。なお、このように本体小径部１７及びナット小径部３７ｂを比較的小径化することで、リールシート全体をコンパクトなものとすることができ、また、ナット部１２のグリップ部３８を穂先側ほど小径化させて取り扱い易い形状にすることも可能である。
【００２３】
さらに、本体小径部１７を本体大径部１６より小径化することで段差を形成して、この段差が大径ナット部３７ａと小径ナット部３７ｂとの段差に当接することで、さらに有効にナット部１２の軸方向への傾きを抑えることができる。
【００２４】
［他の実施形態］
（ａ）突出部・被嵌入部は別段他の部分に比べて小径化させなくともよい。
（ｂ）突出部・被嵌入部はそれぞれ筒状に限定されるものではない。例えば、軸方向断面を多角形状にしてもよい。また、くさび形に噛み込むような軸方向に伸びる凹凸を形成してもよい。
（ｃ）固定フード，移動フード乃至ナット部の軸方向位置を穂先側と竿元側とで入れ替えてもよい。
【００２５】
【発明の効果】
本発明に係るリールシートによれば、ナット部が軸方向から傾いてしまうのを抑えることができ、リールの脱着を容易に行うことができる。
【図面の簡単な説明】
【図１】本発明の第１実施形態を採用したリールシートの全体図。
【図２】図１の断面図。
【図３】図１の分解斜視図。
【符号の説明】
１  リールシート
２  釣用リール
３  脚部
４  竿体
１０  本体部
１１  移動シート部
１２  ナット部
２０  固定フード
３５  移動フード
１６  本体大径部
１７  本体小径部（突出部）
３７ａ  ナット大径部
３７ｂ  ナット小径部（被嵌入部）
【図１】
0004305590.tif 000002
【図２】
0004305590.tif 000003
【図３】
0004305590.tif 000004